(57)【要約】      （修正有）【課題】自家発電装置にペダルと蓄電池を取り付け、筐体で覆い机の下に収納できる大きさにし、リモートワーク中にペダルを回転させることによりパソコンや電燈の電力を供給し、運動不足を解消する、自家発電装置内蔵型健康維持ペダルマシンを提供する。【解決手段】本考案の自家発電装置内蔵型健康維持ペダルマシンは、発電装置本体１の内部の発電体を回転させるために、ペダル４、８と発電体を回転させる軸索２、６、カム３、７、棒軸５、９で発電装置本体と連結させ、ペダルを両足で回転させることにより、発電装置内部の発電体を回転させ、発電する。発電装置本体で発電した電力は、発電装置本体に連結し下部に設置する蓄電装置１０に蓄えられる。また、蓄電装置に蓄えられた電力は、蓄電装置と回路連結している１１の電力供給装置の電源口に電気器具の電源プラグを差し込むことにより供給される。【選択図】図１
0003233235.tif 000002
【実用新案登録請求の範囲】
【請求項１】
自家発電装置にペダルと蓄電池を取り付け、筐体で覆い、机の下に収納し座ったままペダルを漕ぐことにより、机上のパソコンや電燈の電力供給ができる、リモートワークを長時間行っている場合の運動不足解消にも役立つことを特徴とする自家発電装置内臓型健康維持兼用ペダルマシン。
【請求項２】
トレーニング用アームチェアの、本来なら重りの部分に自家発電装置を取り付け、座ったままアームを上下させることにより、机上のパソコンや電燈の電力供給ができる、リモートワークを長時間行っている場合の運動不足解消にも役立つことを特徴とする自家発電装置内蔵型健康維持アームチェア。
【考案の詳細な説明】
【技術分野】
【０００１】  本考案は、自家発電装置にペダルと蓄電池を取り付け、筐体で覆い机の下に収納できる大きさにした自家発電装置内臓型健康維持ペダルマシンと、トレーニング用アームチェアに自家発電装置と蓄電池を取り付けレザー等で覆い通常の卓用椅子としても使用できるようにした自家発電装置内蔵型健康維持アームチェアに関するものである。
【背景技術】
【０００２】  机上でパソコンを使用するリモートワーク実施時には、休憩時を除き長時間同じ姿勢でほとんど体を動かさないので、それに起因する健康障害が発生している。また、通常の健康器具は、座位机上でリモートワークを行う際に使用できる大きさ、形状ではなく、通常、リモートワーク中に、健康器具を動作させようとするモチベーションはわかない。
【考案の概要】
【考案が解決しようとする課題】
【０００３】  リモートワーク時に運動不足を解消するために適時に休憩を取り座席から移動し運動することは、自己管理が難しく精神的負担を強いる。また、移動のための時間的負担もあり、移動短縮のために自己設置の健康器具等を利用すれば経済的負担もある。従って、机の下に収納できる大きさ、形状とする、または、通常の机上で作業を行う場合の椅子と同様の形状を持つことにより、リモートワーク中の運動が可能となり、発電装置を組み入れることにより、リモートワーク中のパソコンや電燈の電力を供給し電気代の節約もできるというモチベーションも生まれる。
以上により前述のリモートワーク時の一般的な運動不足解消法の欠点を解決しようとするものである。
【課題を解決するための手段】
【０００４】  本考案の自家発電装置内臓型健康維持ペダルマシンは、蓄電池と電源タップを接続した自家発電装置を回転されることが可能なように、発電装置の回転可能な発電体の軸上のカムに取り付けたペダルを足で踏み込み前後に動かし発電体を回転させることにより電力を供給する。構造は発電装置・蓄電池・ペダルの軸と回転発電体を筐体で覆いまとめることにより、机の下に収納でき、足を載せられる大きさと形状にした。
これにより、通常の健康器具を机の下に収納できない、座った姿勢でのリモートワーク時に同時に運動を行うことができない、という問題点を解決している。また、本考案の自家発電装置内蔵型健康維持アームチェアは、椅子の横に取り付けたレールを動くグリップを腕で上下させることにより、連動するケーブルが、蓄電池と電源供給口を接続した自家発電装置を回転させ、電力を供給する。上記構造体は椅子の内部に設置される。発電装置とケーブルは椅子の背板の部分に設置し柔らかい素材の布や皮等で覆い、蓄電池は最下部の円盤脚内部に設置される。
以上により、通常の健康維持器具でリモートワーク作業を行えない、座った姿勢でのリモートワーク時に同時に運動を行うことができない、という問題点を解決している。
【考案の効果】
【０００５】  上述の様に、本考案の自家発電装置内臓型健康維持ペダルマシンと、自家発電装置内蔵型健康維持アームチェアは、リモートワーク時に座ったまま運動を行えるだけでなく、発電も行えるので、運動するモチベーションもわき、実際の電気代節約にも役立つ。
【図面の簡単な説明】
【０００６】
【図１】本考案の自家発電装置内臓型健康維持ペダルマシンの実施例を示す平面図（透過図）と自家発電装置内蔵型健康維持アームチェアの実施例を示す正面図（透過図）である。
【図２】本ペダルマシンの実施例を示す斜視図（透過図）である。
【図３】本ペダルマシンの実施例を示す左側面図（透過図）である。
【図４】本ペダルマシンの実施例を示す右側面図（透過図）である。
【図５】本ペダルマシンの実施例を示す全体イメージ図である。
【図６】本アームチェアの実施例を示す左側面図（透過図）である。
【図７】本アームチェアの実施例を示す右側面図（透過図）である。
【図８】本アームチェアの実施例を示す全体イメージ図である。
【考案を実施するための形態】
【０００７】  本考案の自家発電装置内臓型健康維持ペダルマシンの両方のペダルはカムに連結しカムは中心の発電装置に軸索で連結している。
ペダルを踏み込みカムを回すことにより、発電装置の軸索が回転し発電する。発電装置により生じる電気は下部の蓄電装置に蓄えられ、電力供給装置の電源口から電力を供給することができる。また、発電装置・蓄電装置・電力供給装置は回路で連結しており、筐体で覆われている。また、発電装置・蓄電装置・電力供給装置に回路で連結しており、筐体の上部に据え付けられた情報表示装置は、回転数・電力供給量・蓄電量を表示する。
また、本考案の自家発電装置内蔵型健康維持アームチェアの椅子背板両脇のグリップは椅子背板に内蔵の発電装置にケーブルで連結している。グリップを腕で上下させることにより、発電装置が回転し発電する。発電装置により生じる電気は椅子下部円盤脚内の蓄電装置に蓄えられ、電力供給装置の電源口から電力を供給することができる。また、発電装置・蓄電装置・電力供給装置は回路で連結しており、椅子の内部に設置されている。また、発電装置・蓄電装置・電力供給装置に回路で連結しており、椅子の肘上部に据え付けられた情報表示装置は、運動量・電力供給量・蓄電量を表示する。
【実施例】
【０００８】  以下、添付図面に従って自家発電装置内臓型健康維持ペダルマシンの一実施例を説明する。１は発電装置本体、２は発電装置内部の発電体を回転させる左側軸索、３は２に連結する左側カム、４は耐久性の合成樹脂等、適宣素材で形成された左側ペダルで、３のカムと５の左側棒軸より連結している。
同様に、６は発電装置内部の発電体を回転させる右側軸索、７は６に連結する右側カム、８は耐久性の合成樹脂等適宣素材で形成された右側ペダルで、７のカムと９の右側棒軸により連結している。
４と８のペダルを両足で回転させることにより、１の発電装置本体内部の発電体を回転させ、発電する。
また、以下、添付図面に従って自家発電装置内蔵型健康維持アームチェアの一実施例を説明する。１５，１６，１７は回転する発電装置（上、中、下）、１８，１９は耐久性の合成樹脂等適宣素材で形成されたグリップ（左、右）で、１の発電装置（上）と２０，２１のケーブルで連結している。また、１５の発電装置（上）は１６の発電装置（中）と、１６の発電装置（中）は１７の発電装置（下）とケーブルで連結している。２２，２３はグリップ１８，１９を上下させるためのレールである。
グリップ１８，１９を両腕で上下させることにより、ケーブルで連結した１５の発電装置本体内部の発電体を回転させ、また、同様に１５とケーブルで連結した発電装置１６と、ケーブルで連結した発電装置１７を同時に回転させることにより発電する。【０００９】  １０は１の発電装置の下部に設置する蓄電装置で、発電装置とは回路で連結しており、発電装置で発電した電力は蓄電装置に蓄えられる。また、蓄電装置に蓄えられた電力は、蓄電装置と回路連結している１１の電力供給装置の電源口に電気器具の電源プラグを差し込むことにより供給される。【００１０】  １の発電装置、１０の蓄電装置、１１の電力供給装置、２の左側軸索、３の左側カム、６の右側軸索、７の右側カムは１２の耐久性の合成樹脂等適宣素材で形成された筐体により覆われている。筐体の両側面には、５の左側棒軸、９の右側棒軸が回転できる楕円形の穴１３が開いている。筐体の上部には１４の情報表示装置が据え付けられていて、これは発電装置・蓄電装置・電力供給装置に回路で連結しており、液晶パネルにペダル回転時の毎秒回転数と電力供給量、蓄電装置の蓄電量を表示する。【００１１】  ２４は椅子下部円盤脚内に設置する蓄電装置で、発電装置とは電気回路で連結しており、発電装置で発電した電力は蓄電装置に蓄えられる。また、蓄電装置に蓄えられた電力は、蓄電装置と回路連結している２５の電力供給装置の電源口に電気器具の電源プラグを差し込むことにより供給される。【００１２】  １５，１６，１７の発電装置、ケーブル、２２，２３のレールは椅子の背板の部分に設置し、柔らかい素材の布や皮、合成樹脂等により覆われている。椅子の肘の上部には２６の情報表示装置が据え付けられていて、これは発電装置・蓄電装置・電力供給装置に回路で連結しており、液晶パネルにグリップ上下運動時の運動量と電力供給量、蓄電装置の蓄電量を表示する。
【符号の説明】
【００１３】１  ペダルマシン発電装置本体
２  ペダルマシン左側軸索
３  ペダルマシン左側カム
４  ペダルマシン左側ペダル
５  ペダルマシン左側棒軸
６  ペダルマシン右側軸索
７  ペダルマシン右側カム
８  ペダルマシン右側ペダル
９  ペダルマシン右側棒軸
１０ペダルマシン蓄電装置
１１ペダルマシン電力供給装置
１２ペダルマシン筐体
１３ペダルマシン側面穴
１４ペダルマシン情報表示装置
１５アームチェア発電装置（上）
１６アームチェア発電装置（中）
１７アームチェア発電装置（下）
１８アームチェアグリップ（左）
１９アームチェアグリップ（右）
２０アームチェア左側ケーブル
２１アームチェア右側ケーブル
２２アームチェア左側レール
２３アームチェア右側レール
２４アームチェア蓄電装置
２５アームチェア電力供給装置
２６アームチェア情報表示装置
【図１】
0003233235.tif 000003
【図２】
0003233235.tif 000004
【図３】
0003233235.tif 000005
【図４】
0003233235.tif 000006
【図５】
0003233235.tif 000007
【図６】
0003233235.tif 000008
【図７】
0003233235.tif 000009
【図８】
0003233235.tif 000010
【手続補正書】
【提出日】令和3年4月5日(2021.4.5)
【手続補正１】
【補正対象書類名】実用新案登録請求の範囲
【補正対象項目名】全文
【補正方法】変更
【補正の内容】
【実用新案登録請求の範囲】
【請求項１】
座ったまま漕げるペダル（４・８）と蓄電装置（１０）と情報表示装置（１４）に連結されあんか型の筐体（１２）で覆われ机の下に収納できる大きさにした発電装置（１）により、発電が行われ机上のパソコンや電燈の電力供給ができ長時間のリモートワーク中の運動維持運動にも役立つことを特徴とする自家発電装置内蔵型健康維持ペダルマシン。
【請求項２】
座ったまま上下できるグリップ（１８・１９）と蓄電装置（２４）と情報表示装置（２６）に連結されアームチェアに内蔵された発電装置（１５・１６・１７）により、発電が行われ机上のパソコンや電燈の電力供給ができ長時間のリモートワーク中の健康維持運動にも役立つことを特徴とする自家発電装置内蔵型健康維持アームチェア。